(57)【要約】【課題】  磁石を貼着用部材によって貼り付けた効果が大きな磁気治療器を提供する。【解決手段】  円盤状磁石の中心に円筒状開口部を有した環状磁石が環の中心をとおる直線状に着磁されており、環状磁石に設けた内部の円筒部には、球の中心をとおる直線状に着磁された球状磁石が、環状磁石の貫通孔の内面の磁極と互いに異極同士が対向して配置されており、環状磁石と球状磁石は、貼着用部材上に貼り付けられたものである磁気医療器具。【選択図】  図１
0003132069.tif 000002
【実用新案登録請求の範囲】
【請求項１】
円盤状磁石の中心に円筒状開口部を有した環状磁石が環の中心をとおる直線状に着磁されており、環状磁石に設けた内部の円筒部には、球の中心をとおる直線状に着磁された球状磁石が、環状磁石の貫通孔の内面の磁極と互いに異極同士が対向して配置されており、環状磁石と球状磁石は、貼着用部材上に貼り付けられたものであることを特徴とする磁気医療器具。
【請求項２】
環状磁石に設けた貫通孔の直径と球状磁石の直径が等しいか、球状磁石の直径がわずかに小さいことを特徴とする請求項１記載の磁気治療器具。 
【請求項３】
環状磁石が希土類磁石であり、球状磁石がマンガンアルミニウム磁石であって、マンガンアルミニウム磁石には、遠赤外線放射材料を含有することを特徴とする請求項１または２記載の磁気治療具。
【考案の詳細な説明】
【技術分野】
【０００１】
本考案は、筋肉のこり、痛み等を和らげ、血流促進、健康増進の目的で使用される磁気治療具に関する。
【背景技術】
【０００２】
所定の部分に貼り付ける各種の磁気治療具が知られている。これらの磁気治療具においては、磁石を貼着用部材によって貼り付けて磁気の作用を利用するものであるが、より作用の大きな磁気治療器が求められている。
【考案の開示】
【考案が解決しようとする課題】
【０００３】
本考案は、貼着用部材によって貼り付けた場合に、磁気による大きな作用を期待できる磁気治療器を提供することを課題とするものである。
【課題を解決するための手段】
【０００４】
本考案の課題は、 円盤状磁石の中心に円筒状開口部を有した環状磁石が環の中心をとおる直線状に着磁されており、環状磁石に設けた内部の円筒部には、球の中心をとおる直線状に着磁された球状磁石が、環状磁石の貫通孔の内面の磁極と互いに異極同士が対向して配置されており、環状磁石と球状磁石は、貼着用部材上に貼り付けられたものである磁気医療器具によって解決することができる。
また、環状磁石に設けた貫通孔の直径と球状磁石の直径が等しいか、球状磁石の直径がわずかに小さい磁気治療器具である。
また、環状磁石が希土類磁石であり、球状磁石がマンガンアルミニウム磁石であって、マンガンアルミニウム磁石には、遠赤外線放射材料を含有する前記の磁気治療具である。
【考案の効果】
【０００５】
本考案の磁気治療具は、環状磁石が環の中心をとおる直径方向に着磁されており、環状の中心の円筒状開口部に、環の内面の磁極と異なる磁極を有する球状磁石を配置したので、両磁石の接する部分から、環状磁石の端面方向に対して大きな磁力が作用する。また、球状磁石が押しつけられるので指圧効果を高めることが可能となる。
【考案を実施するための最良の形態】
【０００６】
本考案を図面を参照して説明する。
図１は、本考案の磁気治療具の実施態様を説明する図であり、図１（Ａ）は、斜視図であり、図１（Ｂ）は、磁極を説明する平面図である。
磁気治療具１は、環状磁石２と環状の中心に装着された球状磁石３からなり、環状磁石２と球状磁石３は、環状磁石２の外形と同等あるいはそれよりも面積が大きな貼着部材４に貼り付けられている。貼着部材４部材が環状磁石の外形よりも面積が大きな場合には、環状磁石２から張り出した部分の貼着部材の粘着材料面４１には、保護フィルム等（図示せず）を貼り付けて、粘着材料面を保護することが好ましい。
【０００７】
球状磁石３は、環状磁石２の内壁面の中心をとおる線に沿って直線状に磁化されている。また、環状磁石２は中心をとおる水平方向の軸に沿って磁化されており、環状磁石２の内壁面に形成された磁極と球状磁石の異極とが対向して互いに吸引して固着されている。
また、球状磁石３の直径は、環状磁石３に設けた貫通孔の内径と等いものか、あるいはわずかに小さなものを用いることによって、球状磁石の直径部分６の環状磁石の端面と貫通孔の会合部分７において磁力によって保持されている。
環状磁石と球状磁石は異極同士を対向して配置したものであるので、両者の対向部分から環状磁石の端面と垂直方向へと強力な磁力が作用することができる。
【０００８】
円盤磁石２および球状磁石３は、環状磁石２の外径よりも面積が大きな粘着面を有する貼着部材４に貼り付けられている場合には、所定の部位に貼り付けて使用することができる。貼着部材４の面積が環状磁石２と同等の大きさの場合には、粘着テープあるいはバンド等の保持部材によって所定の部位に貼り付けることによって使用することができる。
【０００９】
また、本考案の磁気治療具は、球状磁石３が環状磁石２の端面から突出しているので、所定の部位に貼り付けた場合には、球状磁石が強く押しつけられるので、指圧効果を得ることができる。
【００１０】
図２は、本考案の磁気治療具の実施態様を説明する図であり、断面図である。
貼着部材４上に、環状磁石２および球状磁石３が貼り付けられており、球状磁石３の直径部分６が、環状磁石２の上端面と貫通孔５の会合部分と一致して保持されている。  
図２（Ａ）は、球状磁石３が球体の形状を有する場合であり、図２（Ｂ）は、一部が中心をとおる面に平行な面で切断面で切断した平坦部８を有している。
このように、球状磁石として球体の一部を切断することによって、環状磁石からの突出量が小さな球状磁石とすることができるので、平坦部８を貼着部材４に面して配置することで接合性もより安定したものとなる。
【００１１】
本考案において、環状磁石としては、一例を挙げれば、貫通孔の内径が５ｍｍ程度、外径が１０ｍｍ程度、厚み１ｍｍ程度、球状磁石の外径は５ｍｍ程度、また、環状磁石と球状磁石の間隔は０．１〜０．３ｍｍとすることができる。
【００１２】
本考案において、環状磁石としては、ネオジム磁石等の希土類磁石、フェライト磁石を用いることができる。また、球状磁石としては、マンガンアルミニウム磁石用原料粉末１００質量部に対して５〜３０質量部の遠赤外線放射材料粉末を混合した後に成形したものを用いることができる。遠赤外線材料粉末としては、電気石（トルマリン）、ケイ酸ジルコニウムなどのセラミックスを挙げることができる。
【産業上の利用可能性】
【００１３】
本考案の磁気治療器は、環状磁石の中心部に設けた筒状部に、筒状部の径と同等の球状磁石であって、筒状部の対向面と異極の極性を有する磁石を配置したので、両磁石の対向部から環状磁石の端面とは垂直方向に対して、強力な磁力を作用させるとともに、球状磁石が環状磁石の端面から突出しているので、貼着用部材に貼り付けた磁石を所定の部位に貼り付けた場合には、磁気的な作用とともに、大きな指圧効果を与えることができる。
【図面の簡単な説明】
【００１４】
【図１】図１は、本考案の磁気治療具の実施態様を説明する図である。
【図２】図２は、本考案の磁気治療具の実施態様を説明する図であ。
【符号の説明】
【００１５】
１…磁気治療具、２…環状磁石、３…球状磁石、４…貼着部材、４１…粘着材料面、５…貫通孔、６…直径部分、７…会合部分、８…平坦部
【図１】
0003132069.tif 000003
【図２】
0003132069.tif 000004